(57)【要約】【課題】消費電力を抑えた液晶ディスプレイのディスプレイ回路構造を提供する。【解決手段】各ディスプレイエレメントは、２つのピクセルキャパシタ２０６、２０８、２つのメンテナンスキャパシタ２１０、２１２、ならびに２つのスイッチングトランジスタ２０２、２０４を有する。ピクセルキャパシタ２０６、メンテナンスキャパシタ２１０およびスイッチングトランジスタ２０２は反射領域のコントロールに使用され、ピクセルキャパシタ２０８、メンテナンスキャパシタ２１２およびスイッチングトランジスタ２０４は透過領域のコントロールに使用され、反射領域内の破損が透過領域の動作に影響することがなくその反対も真となる。ピクセルキャパシタ２０６、２０８に印加される電圧はメンテナンスキャパシタ２１０、２１２によって維持され、キャパシタ値を大きくする必要がなく、充電電流を下げることができる。【選択図】　図２
2004126199.tif 000002
【特許請求の範囲】
【請求項１】
反射および透過領域を有する液晶ディスプレイのディスプレイ回路構造において、
第１データラインおよび第２データラインと、
直列に接続されて前記第１データラインに結合され、各々ゲート電極が前記第２データラインに結合される複数のトランジスタと、
並列に接続されるピクセルキャパシタおよびメンテナンスキャパシタを各々有し、各々直列に接続される前記複数のトランジスタのうち対応するトランジスタのソース／ドレイン電極に結合される複数のキャパシタペアと、
を備えることを特徴とするディスプレイ回路構造。
【請求項２】
前記第２データラインは、前記複数のトランジスタのオン／オフをコントロールするために使用されることを特徴とする請求項１記載のディスプレイ回路構造。
【請求項３】
前記複数のキャパシタペアは、前記複数のトランジスタがオンのときに充電されることを特徴とする請求項１記載のディスプレイ回路構造。
【請求項４】
反射および透過領域を有する液晶ディスプレイのディスプレイ回路構造において、
第１データラインと、
前記第１データラインに交差する第２データラインと、
ソース／ドレイン電極が前記第１データラインに結合され、ゲート電極が前記第２データラインに結合される第１トランジスタと、
前記第１トランジスタのチャンネルを介して前記第１データラインに結合される第１ピクセルキャパシタと、
前記第１トランジスタのチャンネルを介して前記第１データラインに結合される第１メンテナンスキャパシタと、
前記第１トランジスタのチャンネルを介して前記第１データラインに結合され、ゲート電極が前記第２データラインに結合される第２トランジスタと、
前記第１トランジスタおよび前記第２トランジスタのチャンネルを介して前記第１データラインに結合される第２ピクセルキャパシタと、
前記第１トランジスタおよび前記第２トランジスタのチャンネルを介して前記第１データラインに結合される第２メンテナンスキャパシタと、
を備えることを特徴とするディスプレイ回路構造。
【請求項５】
前記第２データラインは、前記第１トランジスタおよび前記第２トランジスタのオン／オフをコントロールするために使用されることを特徴とする請求項４記載のディスプレイ回路構造。
【請求項６】
前記第１ピクセルキャパシタ、前記第２ピクセルキャパシタ、前記第１メンテナンスキャパシタおよび前記第２メンテナンスキャパシタは、前記第１トランジスタおよび前記第２トランジスタがオンのときに充電されることを特徴とする請求項４記載のディスプレイ回路構造。
【請求項７】
前記第１トランジスタ、前記第１ピクセルキャパシタおよび前記第１メンテナンスキャパシタは反射領域をコントロールするために使用され、前記第２トランジスタ、前記第２ピクセルキャパシタおよび前記第２メンテナンスキャパシタは透過領域をコントロールするために使用されることを特徴とする請求項４記載のディスプレイ回路構造。
【請求項８】
前記第１トランジスタ、前記第１ピクセルキャパシタおよび前記第１メンテナンスキャパシタは透過領域をコントロールするために使用され、前記第２トランジスタ、前記第２ピクセルキャパシタおよび前記第２メンテナンスキャパシタは反射領域をコントロールするために使用されることを特徴とする請求項４記載のディスプレイ回路構造。
【請求項９】
反射および透過領域を有する液晶ディスプレイのディスプレイ回路構造において、
第１データラインおよび第２データラインと、
各々ソース／ドレイン電極が前記第１データラインに結合され、各々ゲート電極が前記第２データラインに結合される複数のトランジスタと、
並列に接続されるピクセルキャパシタおよびメンテナンスキャパシタを各々有し、各々前記複数のトランジスタのうち対応するトランジスタのチャンネルを介して前記第１データラインに結合される複数のキャパシタペアと、
を備えることを特徴とするディスプレイ回路構造。
【請求項１０】
前記第２データラインは、前記複数のトランジスタのオン／オフをコントロールするために使用されることを特徴とする請求項９記載のディスプレイ回路構造。
【請求項１１】
前記複数のキャパシタペアは、前記複数のトランジスタがオンのときに充電されることを特徴とする請求項９記載のディスプレイ回路構造。
【請求項１２】
反射および透過領域を有する液晶ディスプレイのディスプレイ回路構造において、
第１データラインと、
前記第１データラインに交差する第２データラインと、
ソース／ドレイン電極が前記第１データラインに結合され、ゲート電極が前記第２データラインに結合される第１トランジスタと、
前記第１トランジスタのチャンネルを介して前記第１データラインに結合される第１ピクセルキャパシタと、
前記第１トランジスタのチャンネルを介して前記第１データラインに結合される第１メンテナンスキャパシタと、
ソース／ドレイン電極が前記第１データラインに結合され、ゲート電極が前記第２データラインに結合される第２トランジスタと、
前記第２トランジスタのチャンネルを介して前記第１データラインに結合される第２ピクセルキャパシタと、
前記第２トランジスタのチャンネルを介して前記第１データラインに結合される第２メンテナンスキャパシタと、
を備えることを特徴とするディスプレイ回路構造。
【請求項１３】
前記第２データラインは、前記第１トランジスタおよび前記第２トランジスタのオン／オフをコントロールするために使用されることを特徴とする請求項１２記載のディスプレイ回路構造。
【請求項１４】
前記第１ピクセルキャパシタ、前記第２ピクセルキャパシタ、前記第１メンテナンスキャパシタおよび前記第２メンテナンスキャパシタは、前記第１トランジスタおよび前記第２トランジスタがオンのときに充電されることを特徴とする請求項１２記載のディスプレイ回路構造。
【請求項１５】
前記第１トランジスタ、前記第１ピクセルキャパシタおよび前記第１メンテナンスキャパシタは反射領域をコントロールするために使用され、前記第２トランジスタ、前記第２ピクセルキャパシタおよび前記第２メンテナンスキャパシタは透過領域をコントロールするために使用されることを特徴とする請求項１２記載のディスプレイ回路構造。
【請求項１６】
前記第１トランジスタ、前記第１ピクセルキャパシタおよび前記第１メンテナンスキャパシタは透過領域をコントロールするために使用され、前記第２トランジスタ、前記第２ピクセルキャパシタおよび前記第２メンテナンスキャパシタは反射領域をコントロールするために使用されることを特徴とする請求項１２記載のディスプレイ回路構造。
【発明の詳細な説明】
【０００１】
【発明の属する技術分野】
本発明は、液晶ディスプレイ（ＬＣＤ）のディスプレイ回路構造に関し、特に、反射および透過領域を有する液晶ディスプレイ（ＬＣＤ）のディスプレイ回路構造に関する。
【０００２】
【従来の技術】
液晶ディスプレイ（ＬＣＤ）が、広くディジタル時計、計算機といった電気製品に使用されるようになって久しい。さらに、製造および設計技術の進歩とともに、薄膜トランジスタ液晶ディスプレイ（ＴＦＴ‐ＬＣＤ）が、ポータブルコンピュータ、ＰＤＡ（携帯情報端末）およびカラーテレビジョンに導入されたことをはじめとして、従来のディスプレイに使用されていたＣＲＴが逐次それに置き換えられるようになった。ＴＦＴ‐ＬＣＤの需要は、大規模なものとなる傾向にある。
【０００３】
反射および透過領域をともに有する典型的な液晶ディスプレイの回路は、概して図１Ａのように示される。ＬＣＤマトリクスディスプレイデバイスは一般に、複数のディスプレイエレメント５０を含むＬＣＤディスプレイアレイ２００からなる。図１Ｂに拡大図を示すように、複数のディスプレイエレメント５０は、行および列からなるマトリクスの形で配列される。スイッチングデバイス（図示しない）はディスプレイエレメント５０に結合され、それらに対するビデオ信号の印加をコントロールする。図１Ｂに示すように各ディスプレイエレメント５０は、スイッチングトランジスタ１０４によって駆動されるピクセルキャパシタ１０６およびメンテナンスキャパシタ１０８を含む１つのスイッチングデバイスとして機能する。
【０００４】
図１Ｂは、反射および透過領域をともに備える液晶ディスプレイの回路の拡大図である。スイッチングトランジスタ１０４は、通常、ガラス等の透明基板上に堆積される薄膜トランジスタ（ＴＦＴ）である。スイッチングトランジスタ１０４は、ディスプレイマトリクスのスイッチングトランジスタと同じ側のガラス上に堆積され、そのソース／ドレイン電極は、ピクセルキャパシタ１０６およびメンテナンスキャパシタ１０８のキャパシタ電極にそれぞれ接続される。スイッチングトランジスタ１０４のソース／ドレイン電極は、ビデオ信号が印加されるビデオデータライン１００を介して列データドライバ（図示しない）に接続されている。スイッチングトランジスタ１０４のゲート電極は、スキャンライン１０２を介して行選択ドライバ（図示しない）に接続されており、スイッチングトランジスタ１０４をオンにするためのスキャン信号が印加される。
【０００５】
スキャン信号に従ってスキャンライン１０２がスキャンされることによって、所定のスキャンライン１０２内のすべてのスイッチングトランジスタ１０４がオンになる。同時にビデオ信号が、選択されたスキャンライン１０２と同期されてビデオデータラインに供給される。所定のスキャンライン１０２内のスイッチングトランジスタ１０４がスキャン信号によって選択されるとき、スイッチングトランジスタ１０４に供給されるビデオ信号がピクセルキャパシタ１０６およびメンテナンスキャパシタ１０８を、ビデオデータライン上のビデオ信号に対応する電圧値まで充電する。つまり、マトリクスディスプレイの反対側に電極をそれぞれ伴う各ピクセルキャパシタ１０６は、キャパシタとして動作する。選択されたスキャンライン１０２の信号がなくなると、ピクセルキャパシタ１０６内の電荷は、次の繰り返しまで、すなわちスキャン信号によって次にそのスキャンラインが再度選択されて新しい電圧がそこに蓄積されるまで保持される。このように、ピクセルキャパシタ１０６内に蓄積された電荷によって、マトリクスディスプレイ上にピクチャが表示される。
【０００６】
しかしながら、反射および透過領域をともに有する液晶ディスプレイの場合は、ピクセルキャパシタ１０６が両方の領域とクロスしている。スイッチングトランジスタ１０４もしくはピクセルキャパシタ１０６が壊れると、その後はディスプレイエレメント５０が作用しなくなる。
【０００７】
一方、メンテナンスキャパシタ１０８の主要な機能は、ピクセルキャパシタ１０６に印加される電圧値の定常性を維持することである。つまり、ピクセルキャパシタ１０６内にストアされたデータがリフレッシュされる前は、ピクセルキャパシタ１０６に印加される電圧がメンテナンスキャパシタ１０８によって維持される。しかしながら、従来の、反射および透過領域をともに有する液晶ディスプレイに関して言うと、ピクセルキャパシタ１０６が両方の領域とクロスしているので、メンテナンスキャパシタ１０８には、反射および透過領域に印加された電圧を同時に維持することが求められる。メンテナンスキャパシタ１０８のキャパシタ値は、印加された電圧の急激な低下をもたらす電荷漏れを防止するために大きくする必要がある。結果的に、メンテナンスキャパシタ１０８のキャパシタ値を大きくすることは、データのリフレッシュプロセスを実施し、そのリフレッシュプロセスを同時に完了できるようにするために、より大きな電流を必要とする。しかしながら、これは回路設計の困難を増加させる。
【０００８】
【発明が解決しようとする課題】
上記の説明によれば、反射および透過領域をともに有する従来の液晶ディスプレイに関して、各ディスプレイエレメント５０はピクセルキャパシタ１０６およびメンテナンスキャパシタ１０８を有し、そのいずれもが１つのスイッチングトランジスタ１０４によって駆動される。そのため、それらのうちの１つが壊れると、ディスプレイエレメント全体が作用しなくなる。
【０００９】
一方、ピクセルキャパシタ１０６は、両方の領域とクロスしている。したがって、メンテナンスキャパシタ１０８には、反射および透過領域に印加された電圧を同時に維持することが求められる。メンテナンスキャパシタのキャパシタ値は、印加された電圧の急激な低下をもたらす電荷漏れを防止するために大きくする必要がある。メンテナンスキャパシタ１０８のキャパシタ値を大きくすることは、データのリフレッシュプロセスを実施し、そのリフレッシュプロセスを同時に完了できるようにするために、より大きな電流を必要とする。これは回路設計の困難を増加させる。したがって、本発明は、これらの問題点を解決する回路構造を提供する。
【００１０】
すなわち本発明の主要な目的は、消費電力を抑えた液晶ディスプレイのディスプレイ回路構造を提供することにある。
本発明の別の目的は、リフレッシュプロセスにおけるドライブ電流を抑えた液晶ディスプレイのディスプレイ回路構造を提供することにある。
【００１１】
本発明のさらに別の目的は、各ディスプレイエレメントが複数のピクセルキャパシタ、複数のメンテナンスキャパシタおよび複数のスイッチングトランジスタを有し、これらのキャパシタおよびトランジスタが互いに分離され、１つのキャパシタまたはトランジスタが壊れたときに、ディスプレイエレメント全体が作用しなくなることを防止する液晶ディスプレイのディスプレイ回路構造を提供することにある。
【００１２】
【課題を解決するための手段】
上述の課題を解決するための本発明は、反射および透過領域をともに有する液晶ディスプレイの回路構造を提供する。本発明の回路構造によれば、各ディスプレイエレメントは、複数のピクセルキャパシタ、複数のメンテナンスキャパシタおよび複数のスイッチングトランジスタを包含する。反射および透過領域は、それぞれピクセルキャパシタ、メンテナンスキャパシタおよびスイッチングトランジスタを有する。その結果、２つの領域が互いに分離される。つまり、反射領域内における破損が透過領域の動作に影響することがなく、またその反対も真となる。さらに、本発明の回路構造によれば、各メンテナンスキャパシタが反射もしくは透過領域のいずれかのピクセルキャパシタに印加された電圧を維持するだけでよいことから、キャパシタ値を大きくする必要がない。その結果、充電電流を下げることができる。
【００１３】
また、本発明の回路構造によれば、２つの薄膜トランジスタのコントロールにスキャンラインが使用され、ピクセルキャパシタおよびメンテナンスキャパシタへのビデオ信号の伝送にビデオデータラインが使用される。選択信号によって薄膜トランジスタが選択されるとき、そこにストアされたビデオ信号がピクセルキャパシタおよびメンテナンスキャパシタを充電する。選択信号がなくなると、ピクセルキャパシタ内の電荷は、次の繰り返しまで、すなわち選択信号によって次にそのスキャンラインが再度選択されて新しい電圧がそこに蓄積されるまで保持される。このように、ピクセルキャパシタ内に蓄積された電荷によってマトリクスディスプレイ上にピクチャが表示される。
【００１４】
【発明の実施の形態】
本発明の精神ならびに範囲を限定することなく、本発明に提案されている液晶ディスプレイ（ＬＣＤ）のディスプレイ回路構造の好ましい実施例を例示する。当業者であれば、この実施例を受け入れることによって、本発明の回路設計を任意の液晶ディスプレイに適用し、ディスプレイ回路構造を構成することが可能であり、本発明の適用は、以下の説明によって限定されない。
【００１５】
以下、本発明の実施例について詳細に説明する。
図２は、本発明の第１の実施例に従った液晶ディスプレイのディスプレイ回路構造３００を示した回路図である。このディスプレイ回路構造３００は、反射および透過領域を有する薄膜トランジスタ液晶ディスプレイ（ＴＦＴ‐ＬＣＤ）に使用される。この回路構造においては、各ディスプレイエレメントが、２つのピクセルキャパシタ２０６および２０８、２つのメンテナンスキャパシタ２１０および２１２、ならびに２つのスイッチングトランジスタ２０２および２０４を備えている。ピクセルキャパシタ２０６、メンテナンスキャパシタ２１０およびスイッチングトランジスタ２０２は、薄膜トランジスタ液晶ディスプレイ内の反射領域のコントロールに使用される。ピクセルキャパシタ２０８、メンテナンスキャパシタ２１２およびスイッチングトランジスタ２０４は、薄膜トランジスタ液晶ディスプレイ内の透過領域のコントロールに使用される。
【００１６】
スイッチングトランジスタ２０２および２０４のゲート電極はいずれもスキャンライン３０２に結合されている。スキャンライン３０２は、スイッチングトランジスタ２０２および２０４のオン／オフのコントロールに使用される。スイッチングトランジスタ２０２のソース／ドレイン電極は、ビデオ信号の伝送に使用されるビデオデータラインに結合されている。ビデオデータライン３０４およびスキャンライン３０２は、同時に作用してディスプレイエレメントアレイ（この図には示されていない）からディスプレイエレメントを選択する。スイッチングトランジスタ２０２の他方のソース／ドレイン電極は、ピクセルキャパシタ２０６およびメンテナンスキャパシタ２１０の電極にそれぞれ結合されており、さらに、他方のスイッチングトランジスタ２０４のソース／ドレイン電極に結合されている。スイッチングトランジスタ２０４の他方のソース／ドレイン電極は、ピクセルキャパシタ２０８およびメンテナンスキャパシタ２１２の電極にそれぞれ結合されている。
【００１７】
動作時には、選択信号がスキャンライン３０２に伝送される。つまり、ハイ電圧がスキャンライン３０２に印加されてスイッチングトランジスタ２０２および２０４がオンになる。同時に、ビデオ信号がビデオデータライン３０４からスイッチングトランジスタ２０２のソース／ドレイン電極に伝送される。その後、ビデオ信号が、スイッチングトランジスタ２０２のチャンネルを介してピクセルキャパシタ２０６およびメンテナンスキャパシタ２１０に伝送され、さらにスイッチングトランジスタ２０４のチャンネルを介してピクセルキャパシタ２０８およびメンテナンスキャパシタ２１２に伝送される。ビデオ信号は、ピクセルキャパシタ２０６ならびに２０８、ならびにメンテナンスキャパシタ２１０ならびに２１２をそれぞれ、ビデオデータラインに印加された対応する電圧値まで充電し、反射および透過領域の液晶を駆動することができる。
【００１８】
スキャンライン３０２内の選択信号がなくなると、別の選択信号がスキャンライン３０２にまだ伝達されていなければ、スイッチングトランジスタ２０２および２０４がオフになる。しかし電荷は、ピクセルキャパシタ２０６および２０８、ならびにメンテナンスキャパシタ２１０および２１２内に保持される。したがって、ピクセルキャパシタ２０６ならびに２０８内に蓄積された電荷によってディスプレイ上にピクチャが表示される。
【００１９】
上記の構造によれば、反射および透過領域のそれぞれが、１つのピクセルキャパシタ、１つのメンテナンスキャパシタおよび１つのスイッチングトランジスタを有している。その結果、２つの領域が互いに分離される。つまり、反射領域内における破損が透過領域の動作に影響することがなく、またその反対も真となる。たとえば、ピクセルキャパシタ２０６が壊れた場合に、ディスプレイ回路構造３００の反射領域だけにその影響が及ぶ。しかしディスプレイ回路構造３００の透過領域は、その後においても異常なく動作する。
【００２０】
さらに、本実施例の回路構造によれば、ピクセルキャパシタ２０６および２０８に印加される電圧が、それぞれメンテナンスキャパシタ２１０および２１２によって維持される。そのため、キャパシタ値を大きくする必要がない。充電電流を下げることも可能である。言い換えると、本実施例の回路構造は、２つのピクセルキャパシタならびにメンテナンスキャパシタを使用して、反射および透過領域をそれぞれコントロールしており、１つのピクセルキャパシタおよびメンテナンスキャパシタだけを使用して反射および透過領域をコントロールする従来の構造と異なる。したがって、本実施例の構造の一定時間における電荷漏れの比が、従来の構造より低くなる。言い換えると、各メンテナンスキャパシタは、反射領域内もしくは透過領域内のいずれかのピクセルキャパシタに印加された電圧を維持するだけでよいことから、キャパシタ値を大きくする必要がない。その結果、リフレッシュプロセスが行われるときの充電電流が下げられる。
【００２１】
図３は、本発明の第２の実施例に従った液晶ディスプレイのディスプレイ回路構造４００を示した回路図である。このディスプレイ回路構造４００もまた、反射および透過領域を有する薄膜トランジスタ液晶ディスプレイ（ＴＦＴ‐ＬＣＤ）に使用される。この回路構造においては、各ディスプレイエレメントが、２つのピクセルキャパシタ４０６および４０８、２つのメンテナンスキャパシタ４１０および４１２、ならびに２つのスイッチングトランジスタ４０２および４０４を備えている。ピクセルキャパシタ４０６、メンテナンスキャパシタ４１０およびスイッチングトランジスタ４０２は、薄膜トランジスタ液晶ディスプレイ内の反射領域のコントロールに使用される。ピクセルキャパシタ４０８、メンテナンスキャパシタ４１２およびスイッチングトランジスタ４０４は、薄膜トランジスタ液晶ディスプレイ内の透過領域のコントロールに使用される。
【００２２】
スイッチングトランジスタ４０２および４０４のゲート電極はいずれもスキャンライン３０２に結合されている。スキャンライン３０２は、スイッチングトランジスタ４０２および４０４のオン／オフのコントロールに使用される。スイッチングトランジスタ４０２のソース／ドレイン電極は、ビデオ信号の伝送に使用されるビデオデータラインに結合されている。ビデオデータライン３０４およびスキャンライン３０２は、同時に作用してディスプレイエレメントアレイ（この図には示されていない）からディスプレイエレメントを選択することができる。スイッチングトランジスタ４０２の他方のソース／ドレイン電極は、ピクセルキャパシタ４０６およびメンテナンスキャパシタ４１０の電極にそれぞれ結合されている。スイッチングトランジスタ４０４のソース／ドレイン電極は、ピクセルキャパシタ４０８およびメンテナンスキャパシタ４１２の電極にそれぞれ結合されており、スイッチングトランジスタ４０４の他方のソース／ドレイン電極は、ビデオデータライン３０４に結合されている。
【００２３】
動作の間は、選択信号がスキャンライン３０２に伝送される。つまり、ハイ電圧がスキャンライン３０２に印加されてスイッチングトランジスタ４０２および４０４がオンになる。同時に、ビデオ信号がビデオデータライン３０４からスイッチングトランジスタ４０２および４０４のソース／ドレイン電極に伝送される。その後、ビデオ信号が、スイッチングトランジスタ４０２および４０４のチャンネルをそれぞれ介して、ピクセルキャパシタ４０６および４０８、ならびにメンテナンスキャパシタ４１０および４１２に伝送される。ビデオ信号は、ピクセルキャパシタ４０６および４０８、ならびにメンテナンスキャパシタ４１０および４１２をそれぞれ、ビデオデータラインに印加された対応する電圧値まで充電し、その結果、反射および透過領域の液晶が駆動される。
【００２４】
スキャンライン３０２内に選択信号がなくなると、別の選択信号がスキャンライン３０２にまだ伝送されていなければ、スイッチングトランジスタ４０２および４０４がオフになる。しかし電荷は、ピクセルキャパシタ４０６および４０８、ならびにメンテナンスキャパシタ４１０および４１２内に保持される。したがって、ピクセルキャパシタ４０６および４０８内に蓄積された電荷によってディスプレイ上にピクチャが表示される。
【００２５】
上記の構造によれば、反射および透過領域のそれぞれが、１つのピクセルキャパシタ、１つのメンテナンスキャパシタおよび１つのスイッチングトランジスタを有している。その結果、２つの領域が互いに分離される。つまり、反射領域内における破損が透過領域の動作に影響することがなく、またその反対も真となる。たとえば、ピクセルキャパシタ４０６が壊れた場合に、ディスプレイ回路構造４００の反射領域だけにその影響が及ぶ。しかしディスプレイ回路構造４００の透過領域は、その後においても異常なく動作する。
【００２６】
さらに、本実施例の回路構造によれば、ピクセルキャパシタ４０６および４０８に印加される電圧が、それぞれメンテナンスキャパシタ４１０および４１２によって維持される。そのため、キャパシタ値を大きくする必要がない。充電電流を下げることも可能である。言い換えると、本実施例の回路構造は、２つのピクセルキャパシタおよびメンテナンスキャパシタを使用して、反射および透過領域をそれぞれコントロールしており、１つのピクセルキャパシタならびにメンテナンスキャパシタだけを使用して反射および透過領域をコントロールする従来の構造と異なる。したがって、本実施例の構造の一定時間における電荷漏れの比が、従来の構造より低くなる。言い換えると、各メンテナンスキャパシタは、反射領域内もしくは透過領域内のいずれかのピクセルキャパシタに印加された電圧を維持するだけでよいことから、キャパシタ値を大きくする必要がない。その結果、リフレッシュプロセスが行われるときの充電電流を下げることが可能になる。
【００２７】
当業者であれば理解されるように、以上の本発明の好ましい実施例は、本発明の限定ではなく本発明の例示である。これらは、付随する特許請求の範囲ならびにその精神に含まれる各種の修正および類似の構成を保護するべく意図されており、その範囲には、その種の修正ならびに類似の構造を包含するべく、最も広い解釈が与えられるものとする。
【００２８】
【発明の効果】
本発明の回路構造によれば、１つのピクセルキャパシタ、１つのメンテナンスキャパシタおよび１つのスイッチングトランジスタのみからなるディスプレイエレメントを有する従来の液晶ディスプレイ回路構造が抱える欠点を回避する。従来の回路構造は、これらの３つのデバイスの１つが壊れると、ディスプレイエレメント全体が作用しなくなるが、本発明の構造は、複数のピクセルキャパシタ、複数のメンテナンスキャパシタおよび複数のスイッチングトランジスタを有するディスプレイエレメントを使用するので、一つのデバイスが壊れた場合、他のデバイスがそれに置き換わり、全体的なディスプレイエレメントの動作を維持することができる。
また、本発明の回路構造は、より大きなキャパシタ値を有する唯一のメンテナンスキャパシタが使用されて、反射および透過領域に印加される電圧を維持するという従来の回路設計の欠点も回避する。
【図面の簡単な説明】
【図１】Ａは従来の液晶ディスプレイのディスプレイ回路構造を示す回路図であり、Ｂは従来の液晶ディスプレイのディスプレイ回路構造のディスプレイエレメントを示す拡大回路図である。
【図２】本発明の第１の実施例による液晶ディスプレイのディスプレイ回路構造を示す回路図である。
【図３】本発明の第２の実施例による液晶ディスプレイのディスプレイ回路構造を示す回路図である。
【図１】
2004126199.tif 000003
【図２】
2004126199.tif 000004
【図３】
2004126199.tif 000005